(57)【特許請求の範囲】
【請求項１】
筐体を含み、前記筐体の中には乾燥室が設置され、前記乾燥室の上端右壁の中には搬送箱が固定的に設置され、前記搬送箱の中には搬送装置が設置され、前記搬送装置は搬送通路を含み、前記搬送通路は前記搬送箱を左右貫通するように設置され、かつ前記搬送通路の左端は前記乾燥室に連通し、前記搬送通路の上壁右端には昇降空間が連通するように設置され、前記昇降空間の上壁の中には昇降棒が上下に摺動可能に設置され、前記昇降棒の下端には昇降ブロックが固定的に設置され、前記昇降ブロックの下端面には下方へ開口するローラ溝が左右貫通するように設置され、前記ローラ溝の前後壁の間にはローラ軸が回転可能に設置され、前記ローラ軸の外面には平ら化ローラが固定的に設置され、前記平ら化ローラは生地を平らにすることができ、前記乾燥室の中には掛け装置が設置され、前記掛け装置は平板を含み、前記平板は前記乾燥室の前壁に固定的に設置され、かつ前記搬送箱の左側下方に位置し、前記平板の左右両端には傾斜板が固定的に設置され、前記平板の後端面には固定板が固定的に設置され、前記平板の上側において前記固定板の前端面にはラックが固定的に設置され、生地は前記搬送通路から前記乾燥室の中に入った後、前記平板の上端面で挟まれ、前記乾燥室の前壁には乾燥装置が設置され、前記乾燥装置は前方へ開口する熱風空間を含み、前記熱風空間は前記乾燥室の前壁に均一に、かつ連通するように設置され、前記熱風空間の上下壁の前側には第二掛けブロックが固定的に設置され、前記第二掛けブロックの後端面の中には第四モータが固定的に設置され、前記第四モータの後端には第二ファンが伝動可能に連結され、前記第二ファンの後方において前記熱風空間の上下壁の間には電熱線が固定的に設置されていることを特徴とする生地を自動的に掛けられる乾燥室。
【請求項２】
前記搬送装置は位置制限空間を含み、前記位置制限空間は前記昇降空間の上壁の中に設置され、前記昇降棒の上端は前記位置制限空間を貫通して外部に延在し、前記位置制限空間において前記昇降棒には第一位置制限ブロックが固定的に設置され、前記位置制限空間の側壁には第二位置制限ブロックが固定的に設置され、前記搬送箱の上端面の右端には第一支持ブロックが固定的に設置され、前記第一支持ブロックの後端面の上端にはてこが回転可能に設置され、前記てこの左端には位置制限孔が前後貫通するように設置され、前記昇降棒の上端には固定棒が固定的に設置され、前記固定棒の後端は前記位置制限孔の中に延在し、前記てこの右端には取手が固定的に設置されていることを特徴とする請求項１に記載の生地を自動的に掛けられる乾燥室。
【請求項３】
前記昇降空間の左側において前記搬送通路の上下壁にはローラ空間が連通するように設置され、前記ローラ空間の中には第一回転軸が上下対称に、かつ回転可能に設置され、前記第一回転軸の外面にはローラが固定的に設置され、前記ローラ空間の後壁の中には歯車空間が設置され、前記第一回転軸は前記歯車空間の中に延在し、前記第一回転軸には互いが噛み合った第一歯車が固定的に設置され、上側にある前記第一回転軸の後方において前記歯車空間の後壁の中には第一モータが固定的に設置され、上側にある前記第一回転軸の後端は後方へ延在し、かつ前記第一モータに伝動可能に連結されていることを特徴とする請求項１に記載の生地を自動的に掛けられる乾燥室。
【請求項４】
前記搬送箱の左端面には送風空間が設置され、前記送風空間の左端は前記乾燥室に連通するように設置されし、前記送風空間の上壁には第一掛けブロックが固定的に設置され、前記第一掛けブロックの下端には第二モータが固定的に設置され、前記第二モータの左端には第一ファンが伝動可能に連結され、前記第一ファンの右側において前記送風空間の下壁には下方へ開口する風入口が連通するように設置され、前記搬送通路の下方において前記搬送箱の左端面には固定ブロックが固定的に設置され、前記固定ブロックの上端面には左上方へ斜めに開口する風出口が設置され、前記風出口は前記送風空間の左端に連通するように設置されていることを特徴とする請求項１に記載の生地を自動的に掛けられる乾燥室。
【請求項５】
前記掛け装置は第一支持棒を含み、前記第一支持棒は前記乾燥室の下壁左側に固定的に設置され、かつ前記平板の後側に位置し、前記第一支持棒の上端には第三モータが固定的に設置され、前記第三モータの上端には回転盤が伝動可能に連結され、前記回転盤の外面には軸心に背向いて開口する溝口が上下貫通するように設置され、前記平板の後側において前記乾燥室の下壁右側には第二支持棒が固定的に設置され、前記第二支持棒の上端にはもう一個の前記回転盤が回転可能に設置され、前記回転盤の間には縄が巻かれ、前記縄の前側が前記平板の上方を通過して前記固定板の前方に位置することを特徴とする請求項１に記載の生地を自動的に掛けられる乾燥室。
【請求項６】
前記縄には連結ブロックが均一にかつ回転可能に設置され、前記縄の下方において前記連結ブロックの前端面の中には第二回転軸が回転可能に設置され、前記第二回転軸の外面には第二歯車が固定的に設置され、前記第二回転軸の前端にはリールが固定的に設置され、前記連結ブロックの下端面には第一爪が固定的に設置され、前記第一爪の前端面の上側には第二支持ブロックが固定的に設置され、前記第一爪の前側には第二爪が設置され、前記第二爪の上端面には上方へ開口する連結溝が前後貫通するように形成され、前記第二支持ブロックは前記連結溝の左右壁の間に回転可能に連結され、前記第二爪と前記第一爪との近接する側の端面の下端にはバスマットが対称的にかつ固定的に設置され、前記バスマットの上方において前記第二爪と前記第一爪との間にはばねが固定的に連結され、前記第二爪の前端面には牽引ブロックが固定的に設置され、前記牽引ブロックと前記リールとの間には牽引線が固定的に連結され、前記回転盤が回転して前記縄を駆動して回転させ、かつ前記連結ブロックが前記縄につれて前記回転盤の位置に移動したとき、前記連結ブロックは前記溝口の中に位置し、同時に前記回転盤と前記縄との回転を影響しなく、前記第一爪と前記第二爪との下端が前記傾斜板の斜面と当接したとき、前記連結ブロックは前方へ翻転して水平状態になったとき、前記第二歯車と前記ラックとは噛み合うようになることを特徴とする請求項５に記載の生地を自動的に掛けられる乾燥室。
【請求項７】
前記乾燥装置は排風箱を含み、前記排風箱は前記乾燥室の上壁の中に固定的に設置され、前記排風箱には排風通路が上下貫通するように設置され、前記排風通路の下端は前記乾燥室に連通するように設置され、前記排風通路の左右壁の間には第三掛けブロックが固定的に設置され、前記第三掛けブロックの下端面の中には第五モータが固定的に設置され、前記第五モータの下端には第三ファンが伝動可能に連結されていることを特徴とする請求項１に記載の生地を自動的に掛けられる乾燥室。
【発明の詳細な説明】
【技術分野】
【０００１】
本願発明は生地乾燥設備技術分野を取り上げ、特に生地を自動的に掛けられる乾燥室に関わる。
【背景技術】
【０００２】
生活において、衣類ひいては生地  は欠けてはならないものであり、また、装飾物としても、生地は段々と必要されつつある。生地に対する需要が大きくなる現在において、生地の仕上げを加速することが企業にとって、時間コストを大幅に削減できる有効な手段であり、そのため、生地用の乾燥設備はより大きな作用を果たせるようになった。しかし、既存する乾燥設備のほとんどが生地を搬送する中で、生地に乾燥を行い、極めてシワを生じやすく、そして生地の質と外観に悪影響を与える。本願発明は上記の問題を解決できる装置である。
【先行技術文献】
【特許文献】
【０００３】
【特許文献１】中国特許出願公開第１０７３５４６９３号明細書
【発明の概要】
【発明が解決しようとする課題】
【０００４】
既存する乾燥設備のほとんどが生地を搬送する中で、生地に乾燥を行い、極めてシワを生じやすく、そして生地の質と外観に悪影響を与える。
【課題を解決するための手段】
【０００５】
上記の問題を解決するため、本願は生地を自動的に掛けられる乾燥室を設計し、本願に記載の生地を自動的に掛けられる乾燥室は、筐体を含み、前記筐体の中には乾燥室が設置され、前記乾燥室の上端右壁の中には搬送箱が固定的に設置され、前記搬送箱の中には搬送装置が設置され、前記搬送装置は搬送通路を含み、前記搬送通路は前記搬送箱を左右貫通するように設置され、かつ前記搬送通路の左端は前記乾燥室に連通し、前記搬送通路の上壁右端には昇降空間が連通するように設置され、前記昇降空間の上壁の中には昇降棒が上下に摺動可能に設置され、前記昇降棒の下端には昇降ブロックが固定的に設置され、前記昇降ブロックの下端面には下方へ開口するローラ溝が左右貫通するように設置され、前記ローラ溝の前後壁の間にはローラ軸が回転可能に設置され、前記ローラ軸の外面には平ら化ローラが固定的に設置され、前記平ら化ローラは生地を平らにすることができ、前記乾燥室の中には掛け装置が設置され、前記掛け装置は平板を含み、前記平板は前記乾燥室の前壁に固定的に設置され、かつ前記搬送箱の左側下方に位置し、前記平板の左右両端には傾斜板が固定的に設置され、前記平板の後端面には固定板が固定的に設置され、前記平板の上側において前記固定板の前端面にはラックが固定的に設置され、生地は前記搬送通路から前記乾燥室の中に入った後、前記平板の上端面で挟まれ、前記乾燥室の前壁には乾燥装置が設置され、前記乾燥装置は前方へ開口する熱風空間を含み、前記熱風空間は前記乾燥室の前壁に均一に、かつ連通するように設置され、前記熱風空間の上下壁の前側には第二掛けブロックが固定的に設置され、前記第二掛けブロックの後端面の中には第四モータが固定的に設置され、前記第四モータの後端には第二ファンが伝動可能に連結され、前記第二ファンの後方において前記熱風空間の上下壁の間には電熱線が固定的に設置されている。
【０００６】
好ましくは、前記搬送装置は位置制限空間を含み、前記位置制限空間は前記昇降空間の上壁の中に設置され、前記昇降棒の上端は前記位置制限空間を貫通して外部に延在し、前記位置制限空間において前記昇降棒には第一位置制限ブロックが固定的に設置され、前記位置制限空間の側壁には第二位置制限ブロックが固定的に設置され、前記搬送箱の上端面の右端には第一支持ブロックが固定的に設置され、前記第一支持ブロックの後端面の上端にはてこが回転可能に設置され、前記てこの左端には位置制限孔が前後貫通するように設置され、前記昇降棒の上端には固定棒が固定的に設置され、前記固定棒の後端は前記位置制限孔の中に延在し、前記てこの右端には取手が固定的に設置されている。
【０００７】
好ましくは、前記昇降空間の左側において前記搬送通路の上下壁にはローラ空間が連通するように設置され、前記ローラ空間の中には第一回転軸が上下対称に、かつ回転可能に設置され、前記第一回転軸の外面にはローラが固定的に設置され、前記ローラ空間の後壁の中には歯車空間が設置され、前記第一回転軸は前記歯車空間の中に延在し、前記第一回転軸には互いが噛み合った第一歯車が固定的に設置され、上側にある前記第一回転軸の後方において前記歯車空間の後壁の中には第一モータが固定的に設置され、上側にある前記第一回転軸の後端は後方へ延在し、かつ前記第一モータに伝動可能に連結されている。
【０００８】
好ましくは、前記搬送箱の左端面には送風空間が設置され、前記送風空間の左端は前記乾燥室に連通するように設置されし、前記送風空間の上壁には第一掛けブロックが固定的に設置され、前記第一掛けブロックの下端には第二モータが固定的に設置され、前記第二モータの左端には第一ファンが伝動可能に連結され、前記第一ファンの右側において前記送風空間の下壁には下方へ開口する風入口が連通するように設置され、前記搬送通路の下方において前記搬送箱の左端面には固定ブロックが固定的に設置され、前記固定ブロックの上端面には左上方へ斜めに開口する風出口が設置され、前記風出口は前記送風空間の左端に連通するように設置されている。
【０００９】
好ましくは、前記掛け装置は第一支持棒を含み、前記第一支持棒は前記乾燥室の下壁左側に固定的に設置され、かつ前記平板の後側に位置し、前記第一支持棒の上端には第三モータが固定的に設置され、前記第三モータの上端には回転盤が伝動可能に連結され、前記回転盤の外面には軸心に背向いて開口する溝口が上下貫通するように設置され、前記平板の後側において前記乾燥室の下壁右側には第二支持棒が固定的に設置され、前記第二支持棒の上端にはもう一個の前記回転盤が回転可能に設置され、前記回転盤の間には縄が巻かれ、前記縄の前側が前記平板の上方を通過して前記固定板の前方に位置する。
【００１０】
好ましくは、前記縄には連結ブロックが均一にかつ回転可能に設置され、前記縄の下方において前記連結ブロックの前端面の中には第二回転軸が回転可能に設置され、前記第二回転軸の外面には第二歯車が固定的に設置され、前記第二回転軸の前端にはリールが固定的に設置され、前記連結ブロックの下端面には第一爪が固定的に設置され、前記第一爪の前端面の上側には第二支持ブロックが固定的に設置され、前記第一爪の前側には第二爪が設置され、前記第二爪の上端面には上方へ開口する連結溝が前後貫通するように形成され、前記第二支持ブロックは前記連結溝の左右壁の間に回転可能に連結され、前記第二爪と前記第一爪との近接する側の端面の下端にはバスマットが対称的にかつ固定的に設置され、前記バスマットの上方において前記第二爪と前記第一爪との間にはばねが固定的に連結され、前記第二爪の前端面には牽引ブロックが固定的に設置され、前記牽引ブロックと前記リールとの間には牽引線が固定的に連結され、前記回転盤が回転して前記縄を駆動して回転させ、かつ前記連結ブロックが前記縄につれて前記回転盤の位置に移動したとき、前記連結ブロックは前記溝口の中に位置し、同時に前記回転盤と前記縄との回転を影響しなく、前記第一爪と前記第二爪との下端が前記傾斜板の斜面と当接したとき、前記連結ブロックは前方へ翻転して水平状態になったとき、前記第二歯車と前記ラックとは噛み合うようになる。
【００１１】
好ましくは、前記乾燥装置は排風箱を含み、前記排風箱は前記乾燥室の上壁の中に固定的に設置され、前記排風箱には排風通路が上下貫通するように設置され、前記排風通路の下端は前記乾燥室に連通するように設置され、前記排風通路の左右壁の間には第三掛けブロックが固定的に設置され、前記第三掛けブロックの下端面の中には第五モータが固定的に設置され、前記第五モータの下端には第三ファンが伝動可能に連結されている。
【発明の効果】
【００１２】
本願発明は以下のプラス効果を有する：本願発明は生地を搬送するときに生地を平らにし、シワの生じを防ぎ、また、乾燥時に自動的に生地を掛けられ、掛けて乾燥することで、シワが生じる可能性は大幅に減少され、同時に生地はより徹底的に乾燥され、乾燥速度も著しく、作業効率を向上させられ、企業収益の向上に直結する。
【図面の簡単な説明】
【００１３】
下記に図１〜７を合わせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本願発明である生地を自動的に掛けられる乾燥室の全体構成略図
【図２】図２は図１におけるＡ―Ａ方向からの断面図
【図３】図３は図１におけるＢ―Ｂ方向からの断面図
【図４】図４は図１におけるＣ―Ｃ方向からの断面図
【図５】図５は図１におけるＤ部の拡大略図
【図６】図６は図１におけるＥ部の拡大略図
【図７】図７は図６におけるＦ―Ｆ方向からの断面図
【発明を実施するための形態】
【００１５】
本願発明は生地を自動的に掛けられる乾燥室を取り上げ、主に生地に対する快速乾燥作業に応用され、以下に図面を合わせて本願発明についてさらなる説明を行う。
【００１６】
本願に記載の生地を自動的に掛けられる乾燥室は、筐体１１を含み、前記筐体１１の中には乾燥室１２が設置され、前記乾燥室１２の上端右壁の中には搬送箱１３が固定的に設置され、前記搬送箱１３の中には搬送装置１０１が設置され、前記搬送装置１０１は搬送通路１４を含み、前記搬送通路１４は前記搬送箱１３を左右貫通するように設置され、かつ前記搬送通路１４の左端は前記乾燥室１２に連通し、前記搬送通路１４の上壁右端には昇降空間１５が連通するように設置され、前記昇降空間１５の上壁の中には昇降棒１６が上下に摺動可能に設置され、前記昇降棒１６の下端には昇降ブロック１７が固定的に設置され、前記昇降ブロック１７の下端面には下方へ開口するローラ溝１８が左右貫通するように設置され、前記ローラ溝１８の前後壁の間にはローラ軸１９が回転可能に設置され、前記ローラ軸１９の外面には平ら化ローラ２０が固定的に設置され、前記平ら化ローラ２０は生地を平らにすることができ、前記乾燥室１２の中には掛け装置１０２が設置され、前記掛け装置１０２は平板４２を含み、前記平板４２は前記乾燥室１２の前壁に固定的に設置され、かつ前記搬送箱１３の左側下方に位置し、前記平板４２の左右両端には傾斜板４３が固定的に設置され、前記平板４２の後端面には固定板４４が固定的に設置され、前記平板４２の上側において前記固定板４４の前端面にはラック４５が固定的に設置され、生地は前記搬送通路１４から前記乾燥室１２の中に入った後、前記平板４２の上端面で挟まれ、前記乾燥室１２の前壁には乾燥装置１０３が設置され、前記乾燥装置１０３は前方へ開口する熱風空間６２を含み、前記熱風空間６２は前記乾燥室１２の前壁に均一に、かつ連通するように設置され、前記熱風空間６２の上下壁の前側には第二掛けブロック６３が固定的に設置され、前記第二掛けブロック６３の後端面の中には第四モータ６４が固定的に設置され、前記第四モータ６４の後端には第二ファン６４が伝動可能に連結され、前記第二ファン６５の後方において前記熱風空間６２の上下壁の間には電熱線６６が固定的に設置されている。
【００１７】
実施例に基づき、以下に搬送装置１０１について詳しく説明し、
前記搬送装置１０１は位置制限空間２１を含み、前記位置制限空間２１は前記昇降空間１５の上壁の中に設置され、前記昇降棒１６の上端は前記位置制限空間２１を貫通して外部に延在し、前記位置制限空間２１において前記昇降棒１６には第一位置制限ブロック２２が固定的に設置され、前記位置制限空間２１の側壁には第二位置制限ブロック２３が固定的に設置され、前記搬送箱１３の上端面の右端には第一支持ブロック２４が固定的に設置され、前記第一支持ブロック２４の後端面の上端にはてこ２５が回転可能に設置され、前記てこ２５の左端には位置制限孔２６が前後貫通するように設置され、前記昇降棒１６の上端には固定棒２７が固定的に設置され、前記固定棒２７の後端は前記位置制限孔２６の中に延在し、前記てこ２５の右端には取手７２が固定的に設置されている。
【００１８】
好ましくは、前記昇降空間１５の左側において前記搬送通路１４の上下壁にはローラ空間２８が連通するように設置され、前記ローラ空間２８の中には第一回転軸２９が上下対称に、かつ回転可能に設置され、前記第一回転軸２９の外面にはローラ３０が固定的に設置され、前記ローラ空間２８の後壁の中には歯車空間３１が設置され、前記第一回転軸２９は前記歯車空間３１の中に延在し、前記第一回転軸２９には互いが噛み合った第一歯車３２が固定的に設置され、上側にある前記第一回転軸２９の後方において前記歯車空間３１の後壁の中には第一モータ３４が固定的に設置され、上側にある前記第一回転軸２９の後端は後方へ延在し、かつ前記第一モータ３４に伝動可能に連結されている。  
【００１９】
好ましくは、前記搬送箱１３の左端面には送風空間３５が設置され、前記送風空間３５の左端は前記乾燥室１２に連通するように設置されし、前記送風空間３５の上壁には第一掛けブロック３６が固定的に設置され、前記第一掛けブロック３６の下端には第二モータ３７が固定的に設置され、前記第二モータ３７の左端には第一ファン３８が伝動可能に連結され、前記第一ファン３８の右側において前記送風空間３５の下壁には下方へ開口する風入口３９が連通するように設置され、前記搬送通路１４の下方において前記搬送箱１３の左端面には固定ブロック４０が固定的に設置され、前記固定ブロック４０の上端面には左上方へ斜めに開口する風出口４１が設置され、前記風出口４１は前記送風空間３５の左端に連通するように設置されている。
【００２０】
実施例に基づき、以下に掛け装置１０２について詳しく説明し、
前記掛け装置１０２は第一支持棒４６を含み、前記第一支持棒４６は前記乾燥室１２の下壁左側に固定的に設置され、かつ前記平板４２の後側に位置し、前記第一支持棒４６の上端には第三モータ４７が固定的に設置され、前記第三モータ４７の上端には回転盤４８が伝動可能に連結され、前記回転盤４８の外面には軸心に背向いて開口する溝口７４が上下貫通するように設置され、前記平板４２の後側において前記乾燥室１２の下壁右側には第二支持棒４９が固定的に設置され、前記第二支持棒４９の上端にはもう一個の前記回転盤４８が回転可能に設置され、前記回転盤４８の間には縄５０が巻かれ、前記縄５０の前側が前記平板４２の上方を通過して前記固定板４４の前方に位置する。
【００２１】
好ましくは、前記縄５０には連結ブロック５１が均一にかつ回転可能に設置され、前記縄５０の下方において前記連結ブロック５１の前端面の中には第二回転軸５２が回転可能に設置され、前記第二回転軸５２の外面には第二歯車５３が固定的に設置され、前記第二回転軸５２の前端にはリール５４が固定的に設置され、前記連結ブロック５１の下端面には第一爪５５が固定的に設置され、前記第一爪５５の前端面の上側には第二支持ブロック５６が固定的に設置され、前記第一爪５５の前側には第二爪５７が設置され、前記第二爪５７の上端面には上方へ開口する連結溝５８が前後貫通するように形成され、前記第二支持ブロック５６は前記連結溝５８の左右壁の間に回転可能に連結され、前記第二爪５７と前記第一爪５５との近接する側の端面の下端にはバスマット５９が対称的にかつ固定的に設置され、前記バスマット５９の上方において前記第二爪５７と前記第一爪５５との間にはばね７３が固定的に連結され、前記第二爪５７の前端面には牽引ブロック６０が固定的に設置され、前記牽引ブロック６０と前記リール５４との間には牽引線６１が固定的に連結され、前記回転盤４８が回転して前記縄５０を駆動して回転させ、かつ前記連結ブロック５１が前記縄５０につれて前記回転盤４８の位置に移動したとき、前記連結ブロック５１は前記溝口７４の中に位置し、同時に前記回転盤４８と前記縄５０との回転を影響しなく、前記第一爪５５と前記第二爪５７との下端が前記傾斜板４３の斜面と当接したとき、前記連結ブロック５１は前方へ翻転して水平状態になったとき、前記第二歯車５３と前記ラック４５とは噛み合うようになる。
【００２２】
実施例に基づき、以下に乾燥装置１０３について詳しく説明し、
前記乾燥装置１０３は排風箱６７を含み、前記排風箱６７は前記乾燥室１２の上壁の中に固定的に設置され、前記排風箱６７には排風通路６８が上下貫通するように設置され、前記排風通路６８の下端は前記乾燥室１２に連通するように設置され、前記排風通路６８の左右壁の間には第三掛けブロック６９が固定的に設置され、前記第三掛けブロック６９の下端面の中には第五モータ７０が固定的に設置され、前記第五モータ７０の下端には第三ファン７１が伝動可能に連結されている。
【００２３】
以下に、図１〜図５を合わせ、本願に記載の生地を自動的に掛けられる乾燥室の使用手順について詳しく説明する。
【００２４】
はじめに、第一位置制限ブロック２２は第二位置制限ブロック２３の上方にあり、昇降棒１６は上限位置にある。
【００２５】
作業時に、生地の一端を上下両側のローラ３０の間に置き、取手７２でてこ２５を上げ、てこ２５の左端は下方へ翻転し、かつ固定棒２７を通じて昇降棒１６を下方へ押し、第一位置制限ブロック２２は第二位置制限２３の下方へ摺動し、平ら化ローラ２０の下端は生地と当接し、生地は搬送通路１４の下壁と当接し、第一モータ３４が作動して上側にある第一回転軸２９とローラ３０とを駆動して時計回り方向へ回転させ、歯車の噛み合いで上下両側のローラ３０は駆動されて対向に回転し、そして生地は左方へ搬送され、生地が移動するときに平ら化ローラ２０は回転して生地を平らにし、第二モータ３７が作動して第一ファン３８を駆動して回転させ、第一ファン３８が送風して風を風出口４１から吹き出し、風は搬送通路１４から乾燥室１２に入ったばかりの生地を吹き上げ、生地の左端は平板４２の上端面に落下し、第三モータ４７が作動して左側の回転盤４８を駆動して回転させ、そして回転盤４８と縄５０とは同期的に回転し、連結ブロック５１は縄５０につれて回転盤４８の位置に移動したとき、連結ブロック５１は溝口７４の中に位置し、かつ回転盤４８と縄５０との回転に影響を与えなく、第一爪５５と第二爪５７との下端が傾斜板４３の斜面と当接したとき、連結ブロック５１は前方へ翻転し、連結ブロック５１が水平状態まで翻転したとき、第二歯車５３はラック４５と噛み合うようになり、そして第二歯車５３が回転して第二回転軸５２を通じてリール５４を駆動して回転させ、リール５４が牽引線６１を引っ張って巻き、そして第二爪５７は上方へ翻転し、このとき、生地の後端は第一爪５５の上方にあり、第二歯車５３がラック４５から離脱したとき、第二爪５７はばね７３の作用のもとで下方へ翻転し、かつ生地の後端を掴み、そして生地を掛け、電熱線６６は通電されて熱を出し、第四モータ６４が作動して第二ファン６５を駆動して回転させ、第二ファン６５が送風し、風は電熱線６６に加熱されて生地を乾燥し、第五モータ７０が作動して第三ファン７１を駆動して回転させ、第三ファン７１が乾燥室１２の中に湿った水蒸気を排出し、生地が完全に乾燥されたあとに、生地を取り出せば良い。
【００２６】
本願発明は以下のプラス効果を有する：本願発明は生地を搬送するときに生地を平らにし、シワの生じを防ぎ、また、乾燥時に自動的に生地を掛けられ、掛けて乾燥することで、シワが生じる可能性は大幅に減少され、同時に生地はより徹底的に乾燥され、乾燥速度も著しく、作業効率を向上させられ、企業収益の向上に直結する。
【００２７】
以上の方式により、当該分野の従業員は本願発明の範囲内で作業状況に応じて様々な改変を加えることができる。
【要約】
【課題】本願は生地を自動的に掛けられる乾燥室を開示した。
【解決手段】
本願は生地を自動的に掛けられる乾燥室を開示し、筐体を含み、前記筐体の中には乾燥室が設置され、前記乾燥室の上端右壁の中には搬送箱が固定的に設置され、前記搬送箱の中には搬送装置が設置され、前記搬送装置は搬送通路を含み、前記搬送通路は前記搬送箱を左右貫通するように設置され、かつ前記搬送通路の左端は前記乾燥室に連通し、前記搬送通路の上壁右端には昇降空間が連通するように設置され、本願発明は生地を搬送するときに生地を平らにし、シワの生じを防ぎ、また、乾燥時に自動的に生地を掛けられ、掛けて乾燥することで、シワが生じる可能性は大幅に減少され、同時に生地はより徹底的に乾燥され、乾燥速度も著しく、作業効率を向上させられ、企業収益の向上に直結する。
【選択図】図１【図１】
0006753016.tif 000002
【図２】
0006753016.tif 000003
【図３】
0006753016.tif 000004
【図４】
0006753016.tif 000005
【図５】
0006753016.tif 000006
【図６】
0006753016.tif 000007
【図７】
0006753016.tif 000008